(57)【要約】【課題】ショーケース本体の前面にエアカーテンを形成せずとも、商品収納室内を効率よく冷却することのできるショーケースを提供する。【解決手段】ショーケース本体１０の上面前端側に、天板１０ｂの上面に沿って前方に流通する結露防止用の排熱空気を上方に案内する第１の排熱空気案内板１８ｄを設けたので、排熱空気が天板１０ｂの前端側からショーケース本体１０の前面開口部を介して商品収納室２０内に流入することがなく、商品収納室２０内の冷却効率の低下を確実に防止することができる。【選択図】  図２
2004267612.tif 000002
【特許請求の範囲】
【請求項１】
前面を開口したショーケース本体と、ショーケース本体内に設けられた商品収納室と、商品収納室を冷却する冷却手段とを備え、ショーケース本体の上面を商品収納室内を外部から透視可能に透明に形成するとともに、ショーケース本体の後端側から前方に向かってショーケース本体の上面に沿って結露防止用の空気を吐出するようにしたショーケースにおいて、
前記ショーケース本体の上面前端側に結露防止用の空気を上方に案内する空気案内部材を設けた
ことを特徴とするショーケース。
【請求項２】
前記空気案内部材を透明の部材によって形成した
ことを特徴とする請求項１記載のショーケース。
【請求項３】
前記結露防止用の空気をショーケース本体の背面に沿って下方から上方に流通する背面側空気通路と、
ショーケース本体の上面後端側に設けられ、背面側空気通路の空気を前方に吐出する上面側空気通路とを備え、
背面側空気通路をショーケース本体の幅方向一端側に偏在するように設けるとともに、
上面側空気通路には吐出空気をショーケース本体の幅方向一端側から他端側に亘って分散するように案内する空気案内部材を設けた
ことを特徴とする請求項１または２記載のショーケース。
【発明の詳細な説明】
【０００１】
【発明の属する技術分野】
本発明は、例えばコンビニエンスストア等の店舗内に設置され、食料品や飲料等の商品を冷却して収納するショーケースに関するものである。
【０００２】
【従来の技術】
従来、この種のショーケースとしては、前面を開口したショーケース本体と、ショーケース本体内に形成された商品収納室と、商品収納室を冷却する冷却装置とを備え、ショーケース本体の上面を商品収納室内を外部から透視な透明の部材によって形成したものが知られている（例えば、特許文献１参照。）。
【０００３】
このショーケース本体では、ショーケース本体の下部に配置された機器の排熱空気をショーケース本体の背面に沿って上昇させるとともに、ショーケース本体の上面後端側から前方に向かってショーケース本体の上面に沿って吐出することにより、ショーケース本体の上面の結露を防止するようにしている。
【０００４】
【特許文献１】
特開平８−１１４３７７号公報
【０００５】
【発明が解決しようとする課題】
しかしながら、前記ショーケースでは、結露防止用の排熱空気をショーケース本体の上面に沿ってショーケース本体の前方に吐出しているため、ショーケース本体の上面から前方に流出した排熱空気がショーケース本体の前面開口部から商品収納室内に流入し、商品収納室内の冷却効率を低下させるという問題点があった。
【０００６】
本発明は前記問題点に鑑みてなされたものであり、その目的とするところは、ショーケース本体の上面に結露防止用の空気を吐出させるようにした場合でも、結露防止用の空気の侵入によって商品収納室内の冷却効率を低下させることのないショーケースを提供することにある。
【０００７】
【課題を解決するための手段】
本発明は前記目的を達成するために、請求項１では、前面を開口したショーケース本体と、ショーケース本体内に設けられた商品収納室と、商品収納室を冷却する冷却手段とを備え、ショーケース本体の上面を商品収納室内を外部から透視可能に透明に形成するとともに、ショーケース本体の後端側から前方に向かってショーケース本体の上面に沿って結露防止用の空気を吐出するようにしたショーケースにおいて、前記ショーケース本体の上面前端側に結露防止用の空気を上方に案内する空気案内部材を設けている。これにより、ショーケース本体の上面に沿って前端側まで流通した空気は、空気案内部材によって上方に案内されることから、結露防止用の空気がショーケース本体の上面前端側からショーケース本体の前面開口部を介して商品収納室内に流入することはない。
【０００８】
また、請求項２では、請求項１記載のショーケースにおいて、前記空気案内部材を透明の部材によって形成している。これにより、請求項１の作用に加え、前記空気案内部材が透明の部材によって形成されることから、空気案内部材を介しても商品収納室内を透視することが可能となる。
【０００９】
また、請求項３では、請求項１または２記載のショーケースにおいて、前記結露防止用の空気をショーケース本体の背面に沿って下方から上方に流通する背面側空気通路と、ショーケース本体の上面後端側に設けられ、背面側空気通路の空気を前方に吐出する上面側空気通路とを備え、背面側空気通路をショーケース本体の幅方向一端側に偏在するように設けるとともに、上面側空気通路には吐出空気をショーケース本体の幅方向一端側から他端側に亘って分散するように案内する空気案内部材を設けている。これにより、請求項１または２の作用に加え、背面側空気通路がショーケース本体の幅方向一端側に偏在するように設けられていることから、ショーケース本体の幅方向他端側に他の機器等を配置することにより、他の機器等の配置スペースがショーケース本体の後方に突出することがない。この場合、上面側空気通路から吐出される結露防止用の空気は、上面側空気通路に設けた空気案内部材によってショーケース本体の幅方向一端側から他端側に亘って分散することから、背面側空気通路をショーケース本体の幅方向一端側に偏在させた場合でも、上面側空気通路から吐出される結露防止用の空気がショーケース本体の上面全体に満遍なく吐出される。
【００１０】
【発明の実施の形態】
図１乃至図８は本発明の一実施形態を示すもので、図１はショーケースの全体斜視図、図２はその側面断面図、図３はその平面図、図４はその背面図、図５は商品棚の分解斜視図、図６はショーケースの平面断面図、図７は第４段目の下部棚板の斜視図、図８はショーケースの要部側面断面図である。
【００１１】
このショーケースは、前面を開口したショーケース本体１０と、ショーケース本体１０内に設けられた商品収納室２０と、商品収納室２０内に互いに上下方向に間隔をおいて計５段に設けられた複数の商品棚３０とから構成されている。
【００１２】
ショーケース本体１０は両側面を一対の側板１０ａによってそれぞれ覆われており、その上面は天板１０ｂによって覆われている。各側板１０ａ及び天板１０ｂはガラス板またはアクリル板等の透明性部材からなり、ショーケース本体１０内が透視可能になっている。ショーケース本体１０の下部には機械室１０ｃが設けられ、機械室１０ｃ内には圧縮機１１、凝縮器１２及び凝縮器用ファン１２ａ等の冷凍機器が収容されている。
【００１３】
また、ショーケース本体１０内には商品収納室２０の底面及び背面に沿って延びる通風路１３が設けられている。この通風路１３は断熱壁１４によって囲まれるとともに、底面板１５及び背面板１６を間にして商品収納室２０と仕切られている。通風路１３の上端は、ショーケース本体１０の上面後端側を形成する断熱壁１４の上面部１４ａによって覆われており、上面部１４ａの下面側に設けられた空気案内板１７には多数の通気孔からなる第１の空気吐出口１３ａが設けられている。空気案内板１７は断熱壁１４の上面部１４ａから垂直下方に延び、その下端側は背面板１６の上端側に互いに間隔をおいて重なり合うように対向している。これにより、空気案内板１７と背面板１６との間に第２の空気吐出口１３ｂが形成されている。即ち、第１の空気吐出口１３ａからは通風路１３の空気の一部が前方に向かって吐出されるとともに、第２の空気吐出口１３ｂからは通風路１３の他の空気が下方に向かって吐出され、第２の空気吐出口１３ｂから吐出された空気は背面板１６に沿って下降するようになっている。また、ショーケース本体１０の前面開口部の下端には通風路１３の空気吸入口１３ｃが設けられ、商品収納室２０内の空気が空気吸入口１３ｃから通風路１３内に吸入されるようになっている。通風路１３内には冷却器１３ｄ及び送風機１３ｅが設けられており、冷却器１３ｄは通風路１３の背面側に配置され、送風機１３ｅはその底面側に配置されている。
【００１４】
更に、ショーケース本体１０の背面側には機械室１０ｃ内の排熱空気を上方に流通する排気通路１８が設けられている。この排気通路１８はショーケース本体１０の背面に沿って上下方向に延び、その下端側を機械室１０ｃ内に連通している。また、排気通路１８の上端はショーケース本体１０の上面板１０ｄに設けた多数の排気口１８ａに連通するとともに、上面板１０ｄと断熱壁１４の上面部１４ａとの間に形成された吐出ダクト１８ｂに連通している。この場合、上面板１０ｄの前後方向の長さは断熱壁１４の上面部１４ａと同等に形成され、吐出ダクト１８ｂの前端が天板１０ｂの後端側に位置するようになっている。排気通路１８の上端側は上面板１０ｄから下方に延びる仕切板１８ｃによって前後方向に仕切られており、排気通路１８の一部の空気が吐出ダクト１８ｂ側に分流し、結露防止用の空気として天板１０ｂに沿って前方に吐出されるようになっている。即ち、排気通路１８は背面側空気通路をなし、吐出ダクト１８ｂは上面側空気通路をなしている。また、ショーケース本体１０の上面前端側には吐出ダクト１８ｂから吐出された空気を上方に案内する空気案内部材としての第１の排熱空気案内板１８ｄが設けられ、第１の排熱空気案内板１８ｄは天板１０ｂの上面に立設された板状の部材からなる。この場合、第１の排熱空気案内板１８ｄはガラス板またはアクリル板等の透明性部材からなり、天板１０ｂの幅寸法と同等の長さに形成されている。
【００１５】
また、排気通路１８はショーケース本体１０の背面の約半分の幅に形成され、ショーケース本体１０の幅方向一端側に偏在するように設けられている。この場合、ショーケース本体１０の幅方向他端側、即ち排気通路１８の側方には電装箱１９が配置されている。吐出ダクト１８ｂ内には排気通路１８から吐出される排熱空気をショーケース本体１０の幅方向一端側から他端側に亘って分散する空気案内部材としての複数の第２の排熱空気案内板１８ｅが設けられている。各第２の排熱空気案内板１８ｅは吐出ダクト１８ｂ内に互いに幅方向に間隔をおいて設けられ、それぞれ空気吐出方向に対して所定の傾斜角度をなすように配置されている。この場合、ショーケース本体１０の幅方向一端側の第２の排熱空気案内板１８ｅは、幅方向他端側の第２の排熱空気案内板１８ｅよりも傾斜角度が大きくなっている。
【００１６】
商品収納室２０はショーケース本体１０の各側板１０ａ、天板１０ｂ、底面板１５及び背面板１６によって囲まれ、前面側から各商品棚３０に商品を出し入れできるようになっている。
【００１７】
各商品棚３０は、枠状に形成された棚本体３１と、棚本体３１の上方に配置される上部棚板３２と、棚本体３１の下方に配置される下部棚板３３と、棚本体３１を支持する左右一対のブラケット３４と、棚本体３１を前後方向にスライドさせる左右一対のスライドレール３５と、棚本体３１の前端に配置される商品ガード３６とから構成され、各商品棚３０は前方に向かって下り傾斜をなすように設けられている。この場合、各商品棚３０の後端とショーケース本体１０の背面板１６との間には空気を流通可能な隙間３０ａが設けられている。
【００１８】
棚本体３１は、その前端に商品ガード３６を着脱自在に保持する溝状の保持部３１ａを有し、幅方向両端には下方に延びる側面部３１ｂがそれぞれ設けられている。
【００１９】
上部棚板３２は、平板状に形成された上側部材３２ａ及び下側部材３２ｂからなり、上側部材３２ａの幅方向両端には上方に延びる側壁部３２ｃが設けられている。上部棚板３２は、上側部材３２ａと下側部材３２ｂとを互いに間隔をおいて組付けることによって箱状に形成され、棚本体３１の上面に固定されている。また、上部棚板３２の下面にはヒータ３２ｄが取付けられ、ヒータ３２ｄは商品棚３０上の商品を加熱する場合に使用される。
【００２０】
下部棚板３３は平板状に形成され、棚本体３１の下方に上部棚板３２の下面との間に所定間隔をおいて配置されている。上部棚板３２と下部棚板３３との間には棚ダクト３７が形成され、棚ダクト３７は後端を空気を流入可能に開口するとともに、その幅方向両側面は下部棚板３３に取付けられた一対の側面板３３ａによって覆われている。棚ダクト３７内の空気は下部棚板３３に設けた多数の通気孔３３ｂから下方に吐出されるとともに、下部棚板３３の前端側からも前方に吐出されるようになっている。この場合、下部棚板３３の前端には各棚板３２，３３の間隔よりも高さ寸法の小さい前面壁３３ｃが設けられ、前面壁３３ｃの上端と棚本体３１との間の開口部３３ｄから空気が吐出させるようになっている。
【００２１】
各ブラケット３４は前後方向に延びるように形成され、下部棚板３３の各側面板３３ａに連結されている。また、各ブラケット３４の後端にはショーケース本体１０の背面板１６に係止する係止片３４ａが設けられており、係止片３４ａは背面板１６に設けた多数の孔（図示せず）のうち上下方向任意の孔に係止可能になっている。
【００２２】
各スライドレール３５は、互いにスライド自在に組付けられた一対のスライド部材３５ａ，３５ｂからなる周知のもので、棚本体３１の各側面部３１ｂの内側と各ブラケット３４との間にそれぞれ介在し、棚本体３１を各ブラケット３４に前後方向に移動自在に連結している。
【００２３】
各商品ガード３６は、例えばアクリル等の板状部材によって形成され、棚本体３１の保持部３１ａに着脱自在に取付られている。この場合、上方から第２段目乃至第５段目の商品棚３０に取付られる商品ガード３６の高さ寸法Ｈ１  に対し、最上段の商品棚３０に取付られる商品ガード３６′の高さ寸法Ｈ２  は、所定高さだけ大きく形成されている。即ち、最上段の商品ガード３６′は、最上段の商品棚３０上の空気の前方への流出を規制可能な流出規制部材をなす。
【００２４】
また、下部棚板３３の後端には棚ダクト３７内に空気を流入させる複数の第１の空気案内板３８が互いに幅方向に間隔をおいて取付けられている。各第１の空気案内板３８は、下部棚板３３と背面板１６との間の隙間３０ａ内に突出するように取付けられ、背面板１６に沿って下降する空気のうち、一部の空気が各第１の空気案内板３８によって棚ダクト３７側に案内されるようになっている。この場合、第１段目から第３段目の商品棚３０には第１の空気案内板３８が計３枚ずつ取付けられ（図５参照）、第４段目の商品棚３０には計５枚の第１の空気案内板３８が取付けられている（図７参照）。
【００２５】
更に、第２段目から第４段目の商品棚３０には、背面板１６に沿って下降する空気を商品棚３０と背面板１６との隙間３０ａ側に案内する第２の空気案内板３９がそれぞれ設けられている。各第２の空気案内板３９は棚本体３１の後端側に取付けられ、それぞれ上方に向かって延びるとともに、下降する空気を案内しやすいようにやや前傾して設けられている。
【００２６】
各商品棚３０の後方には、商品棚３０と背面板１６との隙間３０ａを幅方向両側方から覆う一対の第３の空気案内板４０が設けられている。各第３の空気案内板４０は上下方向に延びるゴム等の軟質部材からなり、それぞれショーケース本体１０の背面板１６に取付けられている。
【００２７】
尚、最下段の商品棚３０には前記棚ダクト３７は設けられておらず、その後端と背面板１６との隙間３０ａは流通規制板４１によって閉塞されている。
【００２８】
以上のように構成されたショーケースにおいては、送風機１３ｅによって空気吸入口１３ｃから通風路１３内に吸入した空気が冷却器１３ｄによって冷却され、この冷却空気が通風路１３の第１及び第２の空気吐出口１３ａ，１３ｂから吐出されることにより、商品収納室２０内が冷却される。第１の空気吐出口１３ａから吐出される空気は最上段の商品棚３０の上面に沿って前方に流通し、第２の空気吐出口１３ｂから吐出される空気は商品棚３０と背面板１６との隙間３０ａを通ってショーケース本体１０の背面板１６に沿って下降する。その際、背面板１６に沿って下降する空気は、各商品棚３０間を下降する際に各第２の空気案内板３９によって第２段目から第４段目の商品棚３０の上面側への流出を規制されるとともに、各第３の空気案内板４０によって各商品棚３０の側方への流出を規制される。
【００２９】
また、背面板１６に沿って下降する空気は、第１段目から第４段目の商品棚３０の各第１の空気案内板３８によって各棚ダクト３７の後端側に流入する。この場合、背面板１６に沿って下降する空気は、上方の商品棚３０から順次各棚ダクト３７内に流入するが、上段側（第１段目から第３段目）の商品棚３０の第１の空気案内板３８は、下段側（第４段目）の商品棚３０の第１の空気案内板３８よりも数が少なく設けられているため、上段側から下段側に亘って各商品棚３０の棚ダクト３７への空気流入量はほぼ均一になる。
【００３０】
次に、各棚ダクト３７内に流入した空気は、棚ダクト３７内を商品棚３０の前端側に向かって流通しながら下部棚板３３の各通気孔３３ｂから下方の商品棚３０の上面に向かって吐出される。これにより、各商品棚３０の棚ダクト３７から吐出された空気によって下方の商品棚３０の商品（図示せず）が冷却される。この場合、最上段の商品棚３０に取付られている商品ガード３６′の高さ寸法は、他の商品棚３０の商品ガード３６よりも大きく形成されているため、最上段の商品棚３０の上面側は他の商品棚３０よりも空気が溜まりやすくなっている。これにより、第１の空気吐出口１３ａから吐出された空気が必要以上に最上段の商品棚３０の前方から外部に流出することがない。また、各棚ダクト３７の前端側の開口部３３ｄからも各棚ダクト３７内の空気が吐出され、この吐出空気によって商品棚３０の前端側の結露が防止される。
【００３１】
また、機械室１０ｃ内の圧縮機１１や凝縮器１２等によって発生した排熱空気は、図示しない送風機によって排気通路１８内に流入し、その一部は吐出ダクト１８ｂから天板１０ｂの上面に吐出され、他の空気は排気孔１８ａからショーケース本体１０の上方に放出される。即ち、天板１０ｂの下面側は商品収納室２０内の冷気と接触しているため、その上面側には結露が生じようとするが、天板１０ｂの上面には吐出ダクト１８ｂから温度の高い排熱空気が吐出されるため、この排熱空気によって天板１０ｂの結露が防止される。その際、吐出ダクト１８ｂ内の空気は各第２の排熱空気案内板１８ｅによってショーケース本体１０の幅方向一端側から他端側に亘って分散するように案内されることから、吐出ダクト１８ｂから吐出される排熱空気が天板１０ｂの全体に満遍なく吐出される。また、天板１０ｂの上面に沿って天板１０ｂの前端側まで流通した空気は、第１の排熱空気案内板１８ｄによって上方に案内されることから、排熱空気が天板１０ｂの前端側からショーケース本体１０の前面開口部を介して商品収納室２０内に流入することはない。
【００３２】
このように、本実施形態のショーケースによれば、ショーケース本体１０の上面前端側に、天板１０ｂの上面に沿って前方に流通する結露防止用の排熱空気を上方に案内する第１の排熱空気案内板１８ｄを設けたので、排熱空気が天板１０ｂの前端側からショーケース本体１０の前面開口部を介して商品収納室２０内に流入することがなく、商品収納室２０内の冷却効率の低下を確実に防止することができる。
【００３３】
この場合、第１の排熱空気案内板１８ｄを透明性の部材によって形成したので、第１の排熱空気案内板１８ｄを介しても商品収納室２０内を透視することができ、天板１０ｂによる視認性が損なわれることがないという利点がある。
【００３４】
また、排気通路１８をショーケース本体１０の幅方向一端側に偏在するように設け、ショーケース本体１０の幅方向他端側には電装箱１９を配置したので、電装箱１９の配置スペースがショーケース本体１０の後方に突出することがなく、ショーケース本体１０が大型化することがないという利点がある。この場合、排気通路１８の吐出ダクト１８ｂに、天板１０ｂの上面に吐出される排熱空気をショーケース本体１０の幅方向一端側から他端側に亘って分散させる複数の第２の排熱空気案内板１８ｅを設けたので、排気通路１８をショーケース本体１０の幅方向一端側に偏在させた場合でも、吐出ダクト１８ｂから吐出される排熱空気を天板１０ｂの全体に満遍なく吐出させることができ、天板１０ｂにおける結露の発生を確実に防止することができる。
【００３５】
尚、前記実施形態では、排気通路１８の側方に電装箱１９を配置したものを示したが、他の機器等を配置するようにしてもよい。
【００３６】
また、前記実施形態では、機械室１０ｃ内の排熱空気を結露防止用の空気として利用するようにしたものを示したが、例えばヒータ等よって加熱した空気を結露防止用の空気としてショーケース本体１０の上面に吐出させるようにしたものであってもよい。
【００３７】
【発明の効果】
以上説明したように、請求項１のショーケースによれば、結露防止用の空気がショーケース本体の上面前端側からショーケース本体の前面開口部を介して商品収納室内に流入することがないので、商品収納室内の冷却効率の低下を確実に防止することができる。
【００３８】
また、請求項２のショーケースによれば、請求項１の効果に加え、ショーケース本体の上面に設けた空気案内部材を介しても商品収納室内を透視することができるので、ショーケース本体の上面からの視認性が損なわれることがないという利点がある。
【００３９】
また、請求項３のショーケースによれば、請求項１または２の効果に加え、ショーケース本体の背面側に他の機器等を配置した場合でも、他の機器等の配置スペースがショーケース本体の後方に突出することがないので、ショーケース本体が大型化することがないという利点がある。この場合、背面側空気通路をショーケース本体の幅方向一端側に偏在させた場合でも、ショーケース本体の上面に吐出される結露防止用の空気をショーケース本体の上面全体に満遍なく吐出させることができるので、ショーケース本体の上面における結露の発生を確実に防止することができる。
【図面の簡単な説明】
【図１】本発明の一実施形態を示すショーケースの全体斜視図
【図２】ショーケースの側面断面図
【図３】ショーケースの平面図
【図４】ショーケースの背面図
【図５】商品棚の分解斜視図
【図６】ショーケースの平面断面図
【図７】第４段目の下部棚板の斜視図
【図８】ショーケースの要部側面断面図
【符号の説明】
１０…ショーケース本体、１０ｂ…天板、１８…排気通路、１８ｂ…吐出ダクト、１８ｄ…第１の排熱空気案内板、１８ｅ…第２の排熱空気案内板、２０…商品収納室。
【図１】
2004267612.tif 000003
【図２】
2004267612.tif 000004
【図３】
2004267612.tif 000005
【図４】
2004267612.tif 000006
【図５】
2004267612.tif 000007
【図６】
2004267612.tif 000008
【図７】
2004267612.tif 000009
【図８】
2004267612.tif 000010